(57)【要約】【課題】  着用者が独自の装飾を選択でき、且つ、耳への負担を軽減させることができるオリジナリティ溢れた耳装飾品の装飾部材の提供。【解決手段】  表面にネイルアート技法及び／又はネイルアートに使用される材料で装飾が施された装飾チップと、装飾チップを着脱自在に取り付ける枠体と、枠体を耳止具本体に着脱自在に連結させる取付具とを備え、この枠体が弾性を備えた線材を二重ラセン部を支点としＵ字形状に折り曲げた挟着部と、挟着部の片方の端部が延出される固定部と他方の自由端部が着脱自在に係合される係合部とを一体に形成する頭部とからなり、挟着部に装飾チップの左右側縁部を嵌合係止させる。【選択図】  図１
0003136401.tif 000002
【実用新案登録請求の範囲】
【請求項１】
表面に装飾が施された装飾チップと、該装飾チップを着脱自在に取り付ける枠体と、該枠体を耳止具本体に着脱自在に連結させる取付具とを備えた装飾部材であって、前記枠体が弾性を備えた線材で二重ラセン部を底としたＵ字形状に折り曲げて形成された挟着部と、該Ｕ字形状の片方の頂部に固定される頭部を有し、該頭部はＵ字形状の他方の頂部が着脱自在に係合される係合部を有することにより、前記挟着部に前記装飾チップの左右側縁部を嵌合係止させる構成としてあることを特徴とする耳装飾品の装飾部材。
【請求項２】
枠体において、挟着部が弾性を備えた２本の線材を平行に引き揃えて折り曲げ、これら線材間に一定幅の溝部を形成し、該溝部に前記装飾チップの左右側縁部が嵌合係止されるものとなしてあることを特徴とする請求項１に記載の耳装飾品の装飾部材。
【請求項３】
装飾チップは、左右側縁部の厚さが全体の厚さより小さくなされ、表面及び裏面に段部が形成されていることを特徴とする請求項１又は２に記載の耳装飾品の装飾部材。
【請求項４】
装飾チップは、ネイルアート技法及び／又はネイルアートに使用される材料で装飾されていることを特徴とする請求項1〜３何れかに記載の耳装飾品の装飾部材。
【請求項５】
取付具が、スライドリングであることを特徴とする請求項１〜４何れかに記載の耳装飾品の装飾部材。
【請求項６】
二重ラセン部に装飾物が嵌合されていることを特徴とする請求項１〜５何れかに記載の耳装飾品の装飾部材。
【考案の詳細な説明】
【技術分野】
【０００１】
本考案は、装飾チップの交換が可能な耳装飾品の装飾部材に関するものである。
【背景技術】
【０００２】
耳元を飾る装飾品としてイヤリングやピアスがあるが、イヤリングやピアスの着用者は、髪型や服装、外出の用件やその日の気分に合わせてイヤリングやピアスを付け替えることが多く、大半の人が複数のイヤリングやピアスを所有している。しかし、イヤリングやピアスには高価なものが多く、それらを複数所有するのは経済的に負担が大きい。また、イヤリングやピアスを装着する人の中には、人とは異なる個性を表現したオリジナリティに溢れる装飾を施したものを手軽に身に着けたいと望む人が多数いる。また、ピアスを着用する場合には、耳たぶに耳止具本体であるフックやピンを挿通させる孔を穿設しなければならず、イヤリングとピアスに簡単に併用して使われるものもなかった。
【０００３】
このような事情から、イヤリングやピアス等の耳装飾品の装飾部材を簡便に交換でき、且つ、独自の装飾を手軽に施すことができるイヤリングやピアスが所望されている。独自の装飾を施すことができるイヤリングとしては、略正方形の板材表面に接着剤で花、宝石、ビーズ等の装飾物を貼付した装飾プレートを、この装飾プレートが嵌め込まれる凹部が形成された板状基台と、装飾物が見えるように中央部が円形に開口されたドーナツ状の枠体とで、丁番により開閉自在に挟着させるようにしたものがある（特許文献１参照）。
【特許文献１】特開２００６−５５３６４号公報
【考案の開示】
【考案が解決しようとする課題】
【０００４】
しかしながら、上記したイヤリングには、以下のような問題点があった。即ち、装飾部材に対応する装飾プレート、板状基台、枠体及び丁番などのパーツに金属を使用すると、全体重量が重くなり、自重による落下を防止するためにはクリップ部分の挟着力を大きくせざるを得なかった。この場合、着用者においては、耳に対する不快感は否めず、その苦痛から長時間連続して着用できないこともあった。また、同様の構成をイヤーフックなどにより耳孔を介して吊り下げた状態で使用するピアスに適用した場合には、装飾部材の重量が直接耳孔にかかり、耳への負担が大きくなるため、快適な着用ができないという問題点がある。
【０００５】
本考案は、上記課題に鑑みてなされたものであり、着用者が髪型や服装、外出目的やその時の気分に合わせて独自の装飾を選択できると共に、着用中の不快感を可及的に軽減することのできる、オリジナリティ溢れ且つ軽量化された耳装飾品の装飾部材を提供することにある。
【課題を解決するための手段】
【０００６】
上記目的を達成するために、本考案は、表面にネイルアート技法及び／又はネイルアートに使用される材料で装飾が施された装飾チップと、該装飾チップを着脱自在に取り付ける枠体と、該枠体を耳止具本体に着脱自在に連結させる取付具とを備え、該枠体を、弾性を備えた２本の線材を平行に引き揃え且つ二重ラセン部を支点としＵ字形状に折り曲げこれら線材間に一定幅の溝部が形成される挟着部と、該挟着部の片方の端部が延出される固定部と他方の自由端部が着脱自在に係合される係合部とを一体に形成した頭部とから形成し、挟着部の溝部に装飾チップの左右側縁部を嵌合係止させる構成としている。
【０００７】
この際、装飾チップを枠体へ安定的に取り付けることができるように該左右側縁部に段部を設けたり、多種多様な耳止具本体への取り付けや交換を簡便に行わせるために取付具の連結部材としてスライドリングを用いたり、枠体の装飾性をさらに高めるために二重ラセン部に宝石やカットガラスや七宝焼きなどの装飾物を嵌合させたりする。
【考案の効果】
【０００８】
本考案に係る耳装飾品の装飾部材は、装飾部材全体の軽量化を可能にすることができ、これにより、耳への負担を緩和させて、快適な着用を可能とする。また、装飾チップの枠体への取り付けが、枠体を構成する挟着部と装飾チップに施した嵌合係止構造により簡便に行えることから、装飾物の交換が極めて迅速且つ安定的に行うことができる。また、装飾部材が種々の耳止具本体へ連結可能となされていることから、オリジナリティ溢れる装飾部材の利用範囲を大幅に拡大させることができる。
【考案を実施するための最良の形態】
【０００９】
本考案における耳装飾品とは、イヤリングやピアス等で、装飾部材を吊り下げ状態で使用するものである。
以下、本考案の実施の形態に係る耳装飾品の装飾部材について図面を参照して詳細に説明する。
【００１０】
（実施例１）
図１は本実施例に係る装飾部材１をピアス２に利用した状態を示す斜視図であり、装飾部材１は、図に示す如く、装飾チップ３、枠体４及び取付具５を主体として構成され、該取付具５を介し耳止具本体であるイヤーフック６に連結されている。
【００１１】
装飾チップ３は、軽量の板材であって、その形状や大きさは後述する枠体４との関係で適宜設計されるが、左右側縁部３ａ、３ｂの厚さｍが全体の厚さｎより小さく、表面及び裏面端部にそれぞれ段部３ｃが形成されている（図２参照）。材質としては、金属、合成樹脂、セラミック、ガラス、アクリルなど各種軽量材料のものが使用可能であるが、表面に後述する装飾ｄを施すのに適したＡＢＳ樹脂やエポキシ樹脂が好ましい。
【００１２】
装飾ｄは、一般的なネイルアート技法やネイルアートの材料を用いて行われる。
ネイルアートの技法としては、ベースコートコーティング、トップコートコーティング、ウォーターマーブル技法、エアブラシ技法、押し花技法、ラインテープ技法、ビーズ技法などがあり、デザインに応じて単独で或いは複数を適宜組み合わせて使用することができる。
ネイルアートの材料としては、トップコート、セラミックコート、マニキュア、アクリル絵の具、アクリルパウダー、アクリルコート、スパンコール、グリッター、ラインストーン、ラメ、押し花、ビーズ、宝石、擬似宝石など一般的にネイルアートに使用されるものを単独で用いたり、複数を併用したりすることができる。
【００１３】
図３は、上記装飾チップ３を枠体４に取り付ける状態を示す説明図である。図に示すように、枠体４は装飾チップ３の装飾ｄがよく見えるように、装飾チップ３を左右側部側から挟着保持するものであり、独自の装飾ｄが施された装飾チップ３を交換自在に取り付けるためのものである。この枠体４は弾性を備えた線材７により形成され、装飾チップ３を係止する挟着部４ａとイヤーフック６に連結される頭部４ｂとから構成されている。挟着部４ａは二重ラセン部４ｃ部を底としたＵ字形状に折り曲げられる。Ｕ字形状の一方側は、自由端部４ｅとし、他方の頂部は頭部４ｂに接続される固定部４ｄとなっている。頭部４ｂは、自由端部４ｅが着脱自在に係合される係合部４ｆを有しており、各部分４ａ〜ｆは一体に形成してある。これにより、挟着部４ａの挟着力は安定し、且つ、装飾チップ３の枠体４への着脱が簡単な操作で行なえるものとなる。この際、この挟着部４ａは、２本の線材７，７を用いて作成するものとし、その間に一定幅の溝部８が形成されるように２本の線材７，７は並列させた状態で折り曲げられる。枠体４の素材としては、金、銀、プラチナ等の貴金属や、母材の表面にメッキを施したものなど様々なものを用いることができる。尚、本実施例においては、このような枠体として、上記と同様の構成からなるカブトピンを部分的に改良して用いることもできる。
【００１４】
上記枠体４への装飾チップ３の取り付けは、挟着部４ａに形成された溝部８に装飾チップ３の左右側縁部３ａ、３ｂに設けた各段部３ｃを嵌合係止させることにより行われる。この際、装飾チップ３の着脱操作が、挟着部４ａの自由端部４ｅを頭部４ｂの係合部４ｆへ引っ掛けたり外したりするだけの簡単な操作であることから、着用者は所望するときに装飾チップ３を適宜選択して、迅速且つ安定的に交換することができる。
【００１５】
取付具５は、上記枠体４をイヤーフック６に着脱自在に連結させるための部材であり、具体的には、スライドリングを用い、イヤーフック６に固定されたリング状取付部６ａと枠体の頭部４ｂとを連結させている。この素材としては、上記枠体４と同様、金、銀、プラチナ等の貴金属や、母材の表面にメッキを施したものなど様々なものを用いることができる。好ましくは、枠体４やイヤーフック６と同等の素材を選択し、統一するのが望ましい。
【００１６】
（実施例２）
図４は、装飾部材１をピアス２に利用した場合の別の実施例を示す斜視図である。
本実施例においては、枠体４の二重ラセン部４ｃに装飾物９を取り付けるほかは、上記実施例１と同様にして形成される。この装飾物９としては、特に制限されるものではないが、例えば、宝石、カットガラスなどの擬似宝石、七宝焼きなどを用い、接着剤などにより二重ラセン部４ｃに固定させることができる。
【００１７】
（実施例３、４）
上記実施例１、２において、装飾部材１と連結される耳止具本体をイヤーフックから耳たぶを挟着させるクリップ部材に置き換える以外は、夫々同様の構成で作成し、装飾部材１をイヤリングとして利用することもできる（図面省略）。
【００１８】
尚、本考案は上記実施例に限定されるものではなく、本考案の要旨の範囲内で種々の変形実施が可能である。
【産業上の利用可能性】
【００１９】
本考案は、イヤリング或いはピアスとしての利用範囲に制限されることなく、様々なおしゃれを楽しむことができる耳装飾品の装飾部材として利用できる。
【図面の簡単な説明】
【００２０】
【図１】本考案の実施例に係る装飾部材をピアスに利用した状態を示す斜視図である。
【図２】本考案に係る装飾チップの横断面図である。
【図３】本考案に係る装飾チップを枠体に取り付ける状態を示す説明図である。
【図４】本考案に係る別の実施の形態を示す図である。
【符号の説明】
【００２１】
１ 装飾部材
２ ピアス
３ 装飾チップ
３ａ 左側縁部
３ｂ 右側縁部
３ｃ 段部
４ 枠体
４ａ 挟着部
４ｂ 頭部
４ｃ 二重ラセン部
４ｄ 固定部
４ｅ 自由端部
４ｆ 係合部
５ 取付具
５ａ スライドリング
６ イヤーフック
６ａ リング状取付部
７ 線材
８ 溝部
９ 装飾物
ｄ 装飾
【図１】
0003136401.tif 000003
【図２】
0003136401.tif 000004
【図３】
0003136401.tif 000005
【図４】
0003136401.tif 000006